(57)【要約】【課題】調光レベルを変化させた場合でも放電灯の寿命末期を検出でき、且つ、保護手段の誤動作を低減させた放電灯点灯装置およびそれを用いた照明器具を提供する。【解決手段】放電灯点灯装置Ａは、直流電圧を高周波電圧に変換するインバータ回路１と、インバータ回路１の出力間に接続され共振作用により放電灯ＦＬを点灯させる共振回路２と、インバータ回路１の動作を制御する制御回路４と、インバータ回路１の動作周波数を変化させることによって放電灯ＦＬへの出力電圧を連続的に変化させる調光部８と、所定時間毎に放電灯ＦＬが寿命末期か否かを検出し、寿命末期状態を検出すると寿命末期検出信号を出力する直流成分検出部７および電圧比較器ＥＬと、電圧比較器ＥＬから寿命末期検出信号が入力されるとスイッチング素子Ｑ１、Ｑ２を制御して放電灯ＦＬへの出力を低減もしくは停止させる周波数制御回路５および駆動回路６とを備える。【選択図】図１
2010009863.tif 000002
【特許請求の範囲】
【請求項１】
少なくとも１つのスイッチング素子を有し直流電圧を高周波電圧に変換するインバータ回路と、インバータ回路の出力間に接続され、共振作用により放電灯を高周波点灯させる共振回路と、放電灯のフィラメントが接続され当該フィラメントを予熱する予熱回路と、インバータ回路の動作を制御する制御回路と、インバータ回路の動作周波数を変化させることによって放電灯への出力電圧を連続的に変化させる調光手段と、所定時間毎に放電灯が寿命末期か否かを検出し、寿命末期状態を検出すると寿命末期検出信号を出力する異常検出手段と、異常検出手段から寿命末期検出信号が入力されると前記スイッチング素子を制御して放電灯への出力を低減もしくは停止させる保護手段とを備えたことを特徴とする放電灯点灯装置。
【請求項２】
前記異常検出手段は、少なくとも２回連続して寿命末期状態を検出すると前記寿命末期検出信号を出力することを特徴とする請求項１記載の放電灯点灯装置。
【請求項３】
請求項１または２の何れか１項に記載の放電灯点灯装置を具備したことを特徴とする照明器具。
【発明の詳細な説明】
【技術分野】
【０００１】
本発明は、放電灯点灯装置およびそれを用いた照明器具に関するものである。
【背景技術】
【０００２】
従来より、調光機能を備えた放電灯点灯装置が提供されている（例えば特許文献１参照）。図６は本従来例の放電灯点灯装置の構成を示す回路図であり、２個のスイッチング素子Ｑ１、Ｑ２からなるハーフブリッジ型のインバータ回路１を備え、スイッチング素子Ｑ１、Ｑ２の直列回路が直流電源Ｖｄｃの両端間に接続されている。また、スイッチング素子Ｑ１、Ｑ２の接続点と直流電源ＶｄｃのグランドＧＮＤ間には、インダクタＴ１およびコンデンサＣ１の直列回路を有する共振回路２が接続され、さらにコンデンサＣ１の両端間には共振兼直流阻止用のコンデンサＣ２を介して負荷である放電灯ＦＬが接続されている。放電灯ＦＬの一方のフィラメントＦ１は、インダクタＬ１およびコンデンサＣ３の直列回路ならびに予熱源ｎ１からなる予熱回路３に接続され、他方のフィラメントＦ２は、インダクタＬ２およびコンデンサＣ４の直列回路ならびに予熱源ｎ２からなる予熱回路３に接続されている。なお、予熱源ｎ１、ｎ２は同じ動作周波数に設定されている。
【０００３】
ここにおいて、本従来例の放電灯点灯装置では、調光部８からの調光信号が入力されると、周波数制御回路５によりスイッチング素子Ｑ１、Ｑ２の動作周波数が決定され、スイッチング素子Ｑ１、Ｑ２は、決定した動作周波数で駆動回路６により交互にオン／オフされる。そして、スイッチング素子Ｑ１、Ｑ２を交互にオン／オフさせることで直流電源Ｖｄｃの直流電圧を高周波電圧に変換し、放電灯ＦＬに交番電流を流すことで放電灯ＦＬが高周波点灯するようになっている。ここに、放電灯ＦＬへの給電経路にはインダクタＴ１およびコンデンサＣ１、Ｃ２からなる共振回路２が接続されており、スイッチング素子Ｑ１、Ｑ２の動作周波数と共振回路２の共振周波数の関係により、放電灯ＦＬへの供給エネルギーを調節できるようになっている。
【０００４】
さらに、放電灯ＦＬには直流成分検出部７が並列に接続されており、放電灯ＦＬに正または負の直流電圧成分が発生すると、この電圧に対応する出力信号が電圧比較器ＥＬに対して出力されるようになっている。そして、電圧比較器ＥＬがロー信号を出力する場合にはインバータ回路１は動作を継続し、ハイ信号を出力する場合にはスイッチング素子Ｑ１、Ｑ２の動作周波数を制御することでインバータ回路１の出力を低減あるいは停止させる。
【０００５】
ここで、放電灯ＦＬが寿命末期になり、一方のフィラメントＦ１（またはフィラメントＦ２）のエミッタ（電子放射性物質）が消耗して半波放電状態（いわゆるエミレス状態）になると、放電灯ＦＬには直流電圧成分が発生し、直流成分検出部７ではこの直流電圧成分に応じた出力信号を出力する。そして、直流成分検出部７からの出力信号は電圧比較器ＥＬに入力され、この値が基準電圧値Ｖｒｅｆを超えると電圧比較器ＥＬがハイ信号を出力し、インバータ回路１の出力が低減あるいは停止されて回路保護が図られるようになっている。
【０００６】
このような回路において、予熱源ｎ１、ｎ２の動作周波数が同じであっても、インダクタＬ１、Ｌ２やコンデンサＣ３、Ｃ４のばらつきなどにより予熱回路３の共振周波数は異なってしまい、そのため調光レベルを変化させた場合のフィラメントＦ１、Ｆ２における常時予熱電流に位相差が生じ、その結果フィラメントＦ１、Ｆ２のスポット移動速度にずれが生じる。そして、フィラメントＦ１、Ｆ２に生じたスポット位置のずれによって、放電灯ＦＬに発生する高周波電圧に直流電圧成分が生じるため、寿命末期の負荷が接続されていない場合であってもこの直流電圧成分により寿命末期であると誤検出し、保護機能が作動する可能性がある。
【０００７】
そこで、本従来例では、このような誤動作を回避するため以下の方法をとっている。調光部８から周波数制御回路５に動作周波数を変える調光信号が入力されると、調光信号検出部９は調光信号の変化を検出し、その変化量に応じた信号をタイマー部１１に出力する。タイマー部１１では、調光信号検出部９からの信号が入力されると、駆動回路１０に対して所定時間スイッチＳＷ１（例えば、トランジスタなど）をオンにするオン信号を出力し、駆動回路１０からの出力信号によりスイッチＳＷ１が所定時間オンになる。そして、スイッチＳＷ１をオンにすることで直流成分検出部７からの信号が所定時間ローレベルに固定される。
【０００８】
ここで、図７は本従来例のタイミングチャートを示し、調光レベルを変化させていない場合には調光信号検出部９が調光信号の変化を検出しないため、スイッチＳＷ１はオンにならない。そのため、直流成分検出部７からの信号がそのまま電圧比較器ＥＬに入力されるから、寿命末期の放電灯ＦＬが接続されている場合には回路保護が可能である。
【０００９】
一方、調光レベルの変化が急峻である場合、直流成分検出部７の時定数によっては、調光信号の変化が終わった後に放電灯ＦＬの直流電圧成分が電圧比較器ＥＬに入力される可能性があるが、タイマー部１１の遅延時間が直流成分検出部７の時定数よりも十分長い場合には、調光信号の変化に対し放電灯ＦＬの直流電圧成分が遅れて入力されても、タイマー部１１が上記のオン信号を駆動回路１０に対して出力するから、上述のような誤動作を回避することができる。
【特許文献１】特開２００７−１７２９３３号公報（段落［００１５］−段落［００２２］、及び、第１、２図）
【発明の開示】
【発明が解決しようとする課題】
【００１０】
ここにおいて、調光レベルが変化する際の直流電圧成分は調光レベルの変化が急峻である場合に生じ、変化が緩やかな場合には生じないが、上述の特許文献１に示した放電灯点灯装置では調光レベルを変化させる場合は、その変化が緩やかな場合も異常検出動作を禁止しているので、常に調光レベルを変化させているようなシステムでは、寿命末期検出機能がほとんど機能せず、実質的に回路保護が図れないという問題があった。
【００１１】
本発明は上記問題点に鑑みて為されたものであり、その目的とするところは、調光レベルを変化させた場合でも放電灯の寿命末期を検出でき、且つ、保護手段の誤動作を低減させた放電灯点灯装置およびそれを用いた照明器具を提供することにある。
【課題を解決するための手段】
【００１２】
請求項１の発明は、少なくとも１つのスイッチング素子を有し直流電圧を高周波電圧に変換するインバータ回路と、インバータ回路の出力間に接続され、共振作用により放電灯を高周波点灯させる共振回路と、放電灯のフィラメントが接続され当該フィラメントを予熱する予熱回路と、インバータ回路の動作を制御する制御回路と、インバータ回路の動作周波数を変化させることによって放電灯への出力電圧を連続的に変化させる調光手段と、所定時間毎に放電灯が寿命末期か否かを検出し、寿命末期状態を検出すると寿命末期検出信号を出力する異常検出手段と、異常検出手段から寿命末期検出信号が入力されるとスイッチング素子を制御して放電灯への出力を低減もしくは停止させる保護手段とを備えたことを特徴とする。
【００１３】
請求項２の発明は、異常検出手段は、少なくとも２回連続して寿命末期状態を検出すると寿命末期検出信号を出力することを特徴とする。
【００１４】
請求項３の発明は、請求項１または２の何れか１項に記載の放電灯点灯装置を具備したことを特徴とする。
【発明の効果】
【００１５】
請求項１の発明によれば、放電灯の寿命末期を所定時間毎に検出しており、寿命末期を検出するタイミングで調光レベルを急激に変化させたことによる直流電圧成分が発生していなければ誤検出しないから、放電灯の寿命末期を常時検出している従来例に比べて誤検出を低減でき、また調光時に寿命末期検出を行わない従来例に比べて、調光時においても放電灯の寿命末期を検出できるから、常に調光レベルを変化させるような照明器具であっても放電灯の寿命末期を確実に検出できるという効果がある。また、調光信号の変化を検出するための部品や回路も不要になり、回路構成を簡略化することができるという効果もある。
【００１６】
請求項２の発明によれば、複数回連続して寿命末期状態を検出した場合に寿命末期検出信号を出力するので、請求項１に比べて放電灯の寿命末期を精度よく検出できるとともに、保護手段の誤動作をさらに低減することができるという効果がある。
【００１７】
請求項３の発明によれば、請求項１または２の何れか１項に記載の放電灯点灯装置を用いることによって、調光レベルが変化した場合でも放電灯の寿命末期を検出でき、且つ、保護手段の誤動作を低減させた照明器具を提供することができるという効果がある。
【発明を実施するための最良の形態】
【００１８】
以下に本発明に係る放電灯点灯装置およびそれを用いた照明器具の実施形態を図１〜図５に基づいて説明する。本発明に係る放電灯点灯装置は、照明器具を構成する放電灯を高周波で点灯させるためのものであり、本発明に係る照明器具は、例えば天井などに取り付けられ、室内などを照明するために用いられる。
【００１９】
（実施形態１）
図１は実施形態１の放電灯点灯装置Ａの構成を示す回路図であり、２個のスイッチング素子Ｑ１、Ｑ２からなるハーフブリッジ型のインバータ回路１を備え、直流電源Ｖｄｃの両端間にはスイッチング素子Ｑ１、Ｑ２の直列回路が接続されている。また、スイッチング素子Ｑ１、Ｑ２の接続点と直流電源ＶｄｃのグランドＧＮＤ間には、インダクタＴ１およびコンデンサＣ１の直列回路を有する共振回路２が接続され、さらにコンデンサＣ１の両端間には共振兼直流阻止用のコンデンサＣ２を介して負荷である放電灯ＦＬが接続されている。放電灯ＦＬの一方のフィラメントＦ１は、インダクタＬ１およびコンデンサＣ３の直列回路ならびに予熱源ｎ１からなる予熱回路３に接続され、他方のフィラメントＦ２は、インダクタＬ２およびコンデンサＣ４の直列回路ならびに予熱源ｎ２からなる予熱回路３に接続されている。なお、本実施形態では、予熱源ｎ１、ｎ２は同じ動作周波数に設定されている。
【００２０】
ここにおいて、本実施形態の放電灯点灯装置Ａは調光機能を有しており、調光部８（調光手段）からの調光信号が周波数制御回路５に入力されると、周波数制御回路５によりスイッチング素子Ｑ１、Ｑ２の動作周波数が決定され、スイッチング素子Ｑ１、Ｑ２は、決定した動作周波数で駆動回路６により交互にオン／オフされる。そして、スイッチング素子Ｑ１、Ｑ２を交互にオン／オフさせることで直流電源Ｖｄｃの直流電圧を高周波電圧に変換し、放電灯ＦＬに交番電流を流すことで放電灯ＦＬが高周波点灯するようになっている。ここに、放電灯ＦＬへの給電経路にはインダクタＴ１およびコンデンサＣ１、Ｃ２からなる共振回路２が接続されており、スイッチング素子Ｑ１、Ｑ２の動作周波数と共振回路２の共振周波数の関係により、放電灯ＦＬへの供給エネルギーを調節できるようになっている。
【００２１】
さらに、放電灯ＦＬには直流成分検出部７が並列に接続されており、放電灯ＦＬに正または負の所定の直流電圧成分が発生すると、電圧比較器ＥＬに対して異常信号（寿命末期検出信号）が出力されるようになっている。そして、電圧比較器ＥＬがロー信号を出力する場合にはインバータ回路１は動作を継続し、ハイ信号を出力する場合にはスイッチング素子Ｑ１、Ｑ２の動作周波数を制御することでインバータ回路１の出力を低減あるいは停止させる。ここに、本実施形態では、直流成分検出部７および電圧比較器ＥＬにより異常検出手段が構成され、周波数制御回路５および駆動回路６により保護手段が構成されている。また、上記の周波数制御回路５、駆動回路６および電圧比較器ＥＬにより制御回路４が構成されている。
【００２２】
また、本実施形態の放電灯点灯装置Ａでは、パルス信号出力部１２、駆動回路１０およびスイッチＳＷ１により、上記の直流成分検出部７が所定時間毎に直流電圧成分を検出するように構成されている。すなわち、パルス信号出力部１２から所定の周期で駆動回路１０にパルス信号が出力され、パルス信号がハイ出力の場合には駆動回路１０によりスイッチＳＷ１がオンになり、パルス信号がロー出力の場合には駆動回路１０によりスイッチＳＷ１がオフになる。したがって、直流成分検出部７の出力はスイッチＳＷ１がオフとなる期間のみ電圧比較器ＥＬに入力されることになる。そして、例えば一方のフィラメントＦ１（またはフィラメントＦ２）がエミレス状態となり、直流成分検出部７の出力電圧が基準電圧Ｖｒｅｆを越えた場合、上記のパルス信号によりスイッチＳＷ１がオンの間は電圧比較器ＥＬに入力されないから、インバータ回路１は動作を継続し、スイッチＳＷ１がオフになると電圧比較器ＥＬに入力され、周波数制御回路５および駆動回路６を介してインバータ回路１の出力が低減もしくは停止される。
【００２３】
ここで、図２は正常負荷時（図２中の区間Ｔａ）において調光レベルを変化させた場合の各回路の出力波形と、負荷寿命末期時（図２中の区間Ｔｂ）における各回路の出力波形を示し、図２（ａ）は調光レベル、図２（ｂ）はパルス信号出力部１２のパルス信号、図２（ｃ）はスイッチＳＷ１のオン／オフ状態、図２（ｄ）は直流成分検出部７の検出値、図２（ｅ）は電圧比較器ＥＬの出力値、図２（ｆ）はインバータ回路１の動作状態をそれぞれ示している。なお、本実施形態では、放電灯ＦＬとしてＦＨＦ２４Ｓ形を用いており、図２中の正常負荷時Ｔａは調光部８により放電灯ＦＬの調光レベルを３５％調光状態から全点灯状態（調光レベル１００％）に約３００ｍｓで切り替えた場合の変化を示している。
【００２４】
正常負荷時Ｔａでは、時刻ｔ１の時点で直流電圧成分が急峻に変化を開始してから約２０ｍｓでピーク値（６．２Ｖ）となり、約５０ｍｓで正常時の直流電圧成分の電圧値に戻っている。したがって、パルス信号の周期を５０ｍｓよりも長く設定することによって、次の検出の周期である時刻ｔ２の時点では直流電圧成分が正常時の電圧値になっているから、電圧比較器ＥＬはロー信号を出力し（図２（ｅ）参照）、誤検出することなくインバータ回路１は動作を継続する（図２（ｆ）参照）。
【００２５】
一方、負荷寿命末期時Ｔｂでは、図２（ｄ）に示すように時刻ｔ３の時点で直流電圧成分が急峻に変化し、次の検出の周期である時刻ｔ４の時点で直流電圧成分が検出されると電圧比較器ＥＬはハイ信号を出力し、その結果時刻ｔ５の時点でインバータ回路１の出力が停止される。
【００２６】
ここにおいて、上記のパルス信号の周期が５０ｍｓよりも短すぎると、調光レベルを変化させた際に生じる直流電圧成分を検出してしまうため、５０ｍｓよりも長く設定する必要があるが、長すぎると放電灯ＦＬがエミレス状態になったときに異常を検出するまでの時間が長くなり、その結果回路を構成する各部品への電気的ストレスが懸念されるから、１００ｍｓ〜１５０ｍｓ程度に設定するのが好ましい。
【００２７】
また、直流成分検出部７の出力は、パルス信号がロー出力の場合にのみ電圧比較器ＥＬに入力され、この出力値が基準電圧Ｖｒｅｆを超えると周波数制御回路５および駆動回路６によりインバータ回路１の出力が低減あるいは停止されるので、パルス信号のロー出力時間は、周波数制御回路５が電圧比較器ＥＬからの出力を認識できる時間を満たしていれば短くてもよいが、例えば周波数制御回路５が周期的に電圧比較器ＥＬの出力を監視する構成の場合には、パルス信号のロー出力時間は監視する周期よりも長く設定する必要がある。
【００２８】
而して本実施形態によれば、放電灯ＥＬの寿命末期を所定時間毎に検出しており、寿命末期を検出するタイミングで調光レベルを急激に変化させたことによる直流電圧成分が発生していなければ誤検出しないから、放電灯ＥＬの寿命末期を常時検出している従来例に比べて誤検出を低減でき、また調光時に寿命末期検出を行わない従来例に比べて、調光時においても放電灯ＥＬの寿命末期を検出できるから、常に調光レベルを変化させるような照明器具であっても放電灯ＥＬの寿命末期を確実に検出できる。また、調光信号の変化を検出するための部品や回路も不要になり、回路構成を簡略化することもできる。
【００２９】
なお、上記の周波数制御回路５、電圧比較器ＥＬ、駆動回路１０、パルス信号出力部１２およびスイッチＳＷ１はマイクロコンピュータを用いて代用してもよい。例えば、直流成分検出部７の出力はマイクロコンピュータが備えるＡＤ変換器を通して読み込み、その読み込み周期を上述のパルス信号の周期に設定すればよい。また、調光部８の出力も上記のＡＤ変換器を通して読み込めばよく、その値に応じてインバータ回路１の動作周波数を変えるように構成すればよい。
【００３０】
（実施形態２）
図３は実施形態２の放電灯点灯装置Ａの構成を示す回路図であり、実施形態１では直流成分検出部７からの異常信号を、パルス信号出力部１２、駆動回路１０およびスイッチＳＷ１により所定周期毎に出力するように構成しているが、本実施形態ではパルス信号出力部１２、ゲート回路１３、１４および論理積回路１５により実現している点で異なっている。なお、それ以外の構成は実施形態１と同様であり、同一の構成要素には同一の符号を付して説明は省略する。
【００３１】
パルス信号出力部１２は、ゲート回路１３、１４（例えば、Ｄ−フリップフロップなど）に対してそれぞれクロックとなるパルス信号を出力する。なお、このパルス信号は実施形態１と同様にして設定される。ゲート回路１３は、電圧比較器ＥＬからの出力をパルス信号の立下りで後段のゲート回路１４および論理積回路１５に出力し、ゲート回路１４は、ゲート回路１３からの出力を同様にパルス信号の立下りで後段の論理積回路１５に出力する。すなわち、本実施形態では、直流成分検出部７の出力がパルス信号の周期毎に後段の回路に出力されるようになっている。論理積回路１５には、ゲート回路１３およびゲート回路１４の出力が入力されるように構成されており、したがって論理積回路１５からは今回の電圧比較器ＥＬの出力と、パルス信号１周期後の電圧比較器ＥＬの出力の論理積が周波数制御回路５に出力されるようになっている。ここに、本実施形態では、直流成分検出部７、電圧比較器ＥＬ、ゲート回路１３、１４および論理積回路１５により異常検出手段が構成され、周波数制御回路５および駆動回路６により保護手段が構成されている。また、上記の周波数制御回路５、駆動回路６、電圧比較器ＥＬ、ゲート回路１３、１４、論理積回路１５およびパルス信号出力部１２により制御回路４が構成されている。
【００３２】
ここに実施形態１では、直流電圧成分が一時的に増大する期間よりも長い周期で直流電圧成分を検出するように構成しているので、調光レベルの変化時に生じる直流電圧成分を誤検出する可能性を低減できるものではあるが、パルス信号のロー出力のタイミングと直流電圧成分の生じるタイミングが合えば、誤検出することになる。そこで、本実施形態では、誤検出をさらに低減するために以下の方法をとっている。
【００３３】
図４は正常負荷時（図４中の区間Ｔａ）において調光レベルを変化させた場合の各回路の出力波形と、負荷寿命末期時（図４中の区間Ｔｂ）における各回路の出力波形を示し、図４（ａ）は調光レベル、図４（ｂ）はパルス信号出力部１２のパルス信号、図４（ｃ）は直流成分検出部７の検出値、図４（ｄ）は電圧比較器ＥＬの出力値、図４（ｅ）はゲート回路１３の出力値、図４（ｆ）はゲート回路１４の出力値、図４（ｇ）は論理積回路１５の出力値、図４（ｈ）はインバータ回路１の動作状態をそれぞれ示している。
【００３４】
正常負荷時Ｔａでは、時刻ｔ１の時点で調光動作に応じて直流電圧成分が検出されると（図４（ｃ）参照）、電圧比較器ＥＬではハイ信号が出力される（図４（ｄ）参照）。そして、ゲート回路１３ではハイ信号が出力されるが（図４（ｅ）参照）、ゲート回路１４ではロー信号が出力されるため（図４（ｆ）参照）、論理積回路１５ではロー信号が出力され（図４（ｇ）参照）、その結果インバータ回路１は動作を継続する（図４（ｈ）参照）。次の検出周期である時刻ｔ２の時点では、直流電圧成分が正常時の電圧値に戻っているため、電圧比較器ＥＬではロー信号が出力される。そして、ゲート回路１４には前回の検出値が入力されるため、ハイ信号を出力することになるが、ゲート回路１３ではロー信号が出力されるため、論理積回路１５ではロー信号が出力され、その結果インバータ回路１は動作を継続する。
【００３５】
一方、負荷寿命末期時Ｔｂでは、時刻ｔ３の時点で直流電圧成分を検出すると、電圧比較器ＥＬではハイ信号が出力される。そして、ゲート回路１３ではハイ信号が出力されるが、ゲート回路１４ではロー信号が出力されるため、論理積回路１５ではロー信号が出力され、その結果インバータ回路１は動作を継続する。次の検出周期である時刻ｔ４の時点では、直流電圧成分が継続して検出されているため、電圧比較器ＥＬではハイ信号が出力される。そして、ゲート回路１３では今回の検出値が入力されてハイ信号を出力し、ゲート回路１４では前回の検出値が入力されてハイ信号を出力するから、論理積回路１５ではハイ信号が出力され、その結果時刻ｔ５の時点でインバータ回路１の出力が停止される。
【００３６】
すなわち本実施形態では、上述したように今回の電圧比較器ＥＬの出力と、パルス信号１周期後の電圧比較器ＥＬの出力の論理積を周波数制御回路５に出力するように構成しているので、例えば今回誤検出した場合でも即座にインバータ回路１の出力が低減あるいは停止されることはない。そして、パルス１周期後の電圧比較器ＥＬがハイ信号を出力する場合（すなわち、直流成分検出部７の出力が基準電圧Ｖｒｅｆを再び超えた場合）には、周波数制御回路５および駆動回路６によりインバータ回路１の出力が低減あるいは停止され、パルス１周期後の電圧比較器ＥＬがロー信号を出力する場合には、インバータ回路１は動作を継続することになる。
【００３７】
而して本実施形態によれば、２回連続して寿命末期状態を検出した場合に論理積回路１５が異常信号（寿命末期検出信号）を出力するので、実施形態１の放電灯点灯装置Ａに比べて放電灯ＦＬの寿命末期を精度よく検出できるとともに、保護手段の誤動作をさらに低減することができる。
【００３８】
また、本実施形態によれば、パルス信号の周期を直流電圧成分が一時的に増大する期間よりも短く設定した場合であっても、ゲート回路の数を増やし、その全ての論理積を取るように構成することで、同様に誤検出を低減することができる。
【００３９】
なお、上記の周波数制御回路５、電圧比較器ＥＬ、駆動回路１０、パルス信号出力部１２、ゲート回路１３、１４および論理積回路１５は、実施形態１と同様にマイクロコンピュータを用いて代用してもよい。この場合、読み込み値が２回連続してハイであった場合にインバータ回路１の出力を低減あるいは停止するように構成すればよい。
【００４０】
また、本実施形態では、直流成分検出部７の出力が２回連続して基準電圧Ｖｒｅｆを超えた場合にインバータ回路１の出力を低減あるいは停止するように構成しているが、例えばゲート回路数を３個以上に増やし、その全ての論理積を取るように構成してもよい。この場合、同様に実施形態１に比べて放電灯ＦＬの寿命末期を精度よく検出できるとともに、保護手段の誤動作をさらに低減することができる。
【００４１】
（実施形態３）
図５は実施形態３の照明器具Ｂを示し、実施形態１または実施形態２で説明した放電灯点灯装置Ａを用いている。
【００４２】
本実施形態の照明器具Ｂは、左右方向に延出し両端部にランプソケット１８、１８が配置された器具本体１６と、下側に反射面を有し器具本体１６に取着されるカバー１７とを備え、カバー１７の内部には上述した放電灯点灯装置Ａが収納されている。また、両ランプソケット１８、１８間には直管型の放電灯ＦＬが配置され、放電灯ＦＬの両端部に設けた各口金が対応するランプソケット１８にそれぞれ電気的に接続されている。なお、放電灯点灯装置Ａの出力端子（図示せず）と各ランプソケット１８の間は電線（図示せず）を介して電気的に接続されており、放電灯ＦＬにはランプソケット１８、１８を介して点灯電力が供給される。
【００４３】
而して本実施形態によれば、実施形態１または実施形態２で説明した放電灯点灯装置Ａを用いることによって、調光レベルが変化した場合でも放電灯ＦＬの寿命末期を検出でき、且つ、保護手段の誤動作を低減させた照明器具Ｂを提供することができる。
【図面の簡単な説明】
【００４４】
【図１】実施形態１の放電灯点灯装置の構成を示す回路図である。
【図２】同上のタイミングチャート図である。
【図３】実施形態２の放電灯点灯装置の構成を示す回路図である。
【図４】同上のタイミングチャート図である。
【図５】実施形態３の照明器具を示す概略正面図である。
【図６】従来例の放電灯点灯装置の構成を示す回路図である。
【図７】同上のタイミングチャート図である。
【符号の説明】
【００４５】
１  インバータ回路
２  共振回路
３  予熱回路
４  制御回路
５  周波数制御回路（保護手段）
６  駆動回路（保護手段）
７  直流成分検出部（異常検出手段）
８  調光部（調光手段）
Ａ  放電灯点灯装置
ＥＬ  電圧比較器（異常検出手段）
Ｆ１、Ｆ２  フィラメント
ＦＬ  放電灯
Ｑ１、Ｑ２  スイッチング素子
【図１】
2010009863.tif 000003
【図２】
2010009863.tif 000004
【図３】
2010009863.tif 000005
【図４】
2010009863.tif 000006
【図５】
2010009863.tif 000007
【図６】
2010009863.tif 000008
【図７】
2010009863.tif 000009